(57)【要約】【課題】  空き時間に録画番組を視聴する際の使い勝手を向上させることができる番組視聴録画装置を提供する。【解決手段】  チューナを具備し番組の視聴録画が可能な番組視聴録画装置において、録画したコンテンツ毎に、視聴の有無、視聴有のコンテンツに関する視聴済、未視聴の時間を管理する手段と、この管理手段の情報をもとに番組リストを表示する表示手段であって、録画済の番組リストを表示する場合、一度でも再生したことのあるコンテンツについては、再生を停止した時点を元に、視聴済と未視聴の部分に分離し、それぞれの時間もしくはコンテンツ全体に占める割合を表示する表示手段とを具備することを特徴とした番組視聴録画装置。【選択図】      図１
2008252817.tif 000002
【特許請求の範囲】
【請求項１】
チューナを具備し番組の視聴録画が可能な番組視聴録画装置において、
録画したコンテンツ毎に、視聴の有無、視聴有のコンテンツに関する視聴済、未視聴の時間を管理する手段と、
前記管理手段の情報をもとに番組リストを表示する表示手段であって、録画済の番組リストを表示する場合、一度でも再生したことのあるコンテンツについては、再生を停止した時点を元に、視聴済と未視聴の部分に分離し、それぞれの時間もしくはコンテンツ全体に占める割合を表示する表示手段と
を具備することを特徴とした番組視聴録画装置。
【請求項２】
ユーザによる番組の視聴履歴、録画履歴を記録する記録手段を有し、
前記管理手段は、現在時刻とユーザによる視聴が予想される番組の開始時刻とを元に前記ユーザによるコンテンツの視聴可能時間を計算し、
前記表示手段は前記管理手段の計算結果に基づいて、録画コンテンツのうち前記視聴可能時間内に視聴可能な前記録画コンテンツの一覧表示する
ことを特徴とした請求項１に記載の番組視聴録画装置。
【請求項３】
コンテンツの視聴履歴、録画履歴から、ユーザによる視聴可能時間を計算する視聴可能時間計算手段を有し、
前記表示手段は、前記計算手段により計算された時間内に前記ユーザが視聴する可能性があるコンテンツが存在し、現在時刻と当該番組の開始時刻から、録画コンテンツの未視聴部分を全て視聴すると、前記ユーザが視聴する可能性がある番組の視聴に影響がある場合、前記視聴に影響を与える録画コンテンツについて背景色変更あるいはアイコン表示する
ことを特徴とする請求項２に記載の番組視聴録画装置。
【請求項４】
前記表示手段は、前記録画コンテンツを一覧表示する場合、前記ユーザによるコンテンツの視聴可能時間を元に、前記時間内に視聴が可能なコンテンツを優先的に表示し、前記時間内に視聴が不可能なコンテンツ及び視聴を完了しているコンテンツが順番に認識可能に表示する
ことを特徴とする請求項２に記載の番組視聴録画装置。
【請求項５】
最後に電源がオフされた時刻を記録する電源オフ時刻記録手段と、
前記ユーザが録画コンテンツの一覧表示を希望した時、前記電源オフ時刻記録手段に記録された電源オフ時刻と現在時刻を元に、前記ユーザによる録画コンテンツの視聴時間を計算する視聴可能計算手段を有し、
前記表示手段は、前記視聴可能計算手段により計算された時間内に視聴が可能な録画コンテンツを優先して録画コンテンツリストに表示する
ことを特徴とする請求項２に記載の番組視聴録画装置。
【発明の詳細な説明】
【技術分野】
【０００１】
本発明は、テレビ放送などの番組を録画して再生する番組視聴録画装置に関する。
【背景技術】
【０００２】
近年、パーソナルコンピュータや携帯電話にもテレビ視聴機能が搭載され、自宅リビング以外の場所でもテレビ番組を視聴することが可能となっている。また、受信したテレビ番組の符号化データをメモリカード等の記憶媒体に記録しておき、空いた時間にテレビ番組を視聴することができるようになってきている。さらに、ハードディスクドライブ（ＨＤＤ）などの大容量ストレージに記憶したテレビ番組も、レート変換をすることにより、メモリカードを介してパーソナルコンピュータや携帯電話で視聴することができるようになってきている。さらに、携帯端末用地上波デジタル放送の運用が開始されれば、このような外出先でテレビ視聴するユーザが増大することが予想される。
【０００３】
このような中、ユーザのスケジュールに合わせて、録画されたテレビ番組をパーソナルコンピュータや携帯機器に配信するシステムが開示されている（特許文献１）。
【特許文献１】特開２００３−２７４３７７号公報
【発明の開示】
【発明が解決しようとする課題】
【０００４】
しかしながら、上記特許文献１では、ユーザが予めスケジュールを入力しておく必要があり、手間がかかるという問題がある。また、実際のスケジュールが急遽変更になった場合には、スケジュールを入力し直す必要があり、非常に手間がかかってしまうという問題がある。
【０００５】
また、ユーザが携帯電話でテレビを視聴するのは、通勤・通学時間の電車の中や、昼休みなど、比較的短い休憩時間などであること多い。この場合、例えば、３０分だけ等といったように視聴できる時間が限られる。その限られた時間内に見終わることができる録画番組を探すために、ユーザは、いちいち録画番組の再生時間を見比べる必要があった。すなわち、限られた時間内に視聴できる録画番組を選び出すには、手間がかかるという問題があった。
【０００６】
また、最近のＴＶ番組の録画装置については、ＨＤ等の大容量の記憶装置にコンテンツを録画するものが多く、該録画装置に録画できるコンテンツの数も大幅に増加傾向にある。このため、ユーザが希望する録画コンテンツを視聴する場合、大量に表示される録画コンテンツの中から目的のコンテンツを簡易に見つけることが難しくなっている。
【０００７】
そこで本発明の目的は、空き時間に録画番組を視聴する際の使い勝手を向上させることができる番組視聴録画装置を提供することにある。
【課題を解決するための手段】
【０００８】
本発明の観点は、チューナを具備し番組の視聴録画が可能な番組視聴録画装置において、録画したコンテンツ毎に、視聴の有無、視聴有のコンテンツに関する視聴済、未視聴の時間を管理する手段と、前記管理手段の情報をもとに番組リストを表示する表示手段であって、録画済の番組リストを表示する場合、一度でも再生したことのあるコンテンツについては、再生を停止した時点を元に、視聴済と未視聴の部分に分離し、それぞれの時間もしくはコンテンツ全体に占める割合を表示する表示手段とを具備することを特徴とした番組視聴録画装置である。
【０００９】
チューナを具備し番組の視聴録画が可能な番組視聴録画装置において、
録画したコンテンツ毎に、視聴の有無、視聴有のコンテンツに関する視聴済、未視聴の時間を管理する手段と、
前記管理手段の情報をもとに番組リストを表示する表示手段であって、録画済の番組リストを表示する場合、一度でも再生したことのあるコンテンツについては、再生を停止した時点を元に、視聴済と未視聴の部分に分離し、それぞれの時間もしくはコンテンツ全体に占める割合を表示する表示手段と
【００１０】
を具備することを特徴とした番組視聴録画装置。
【発明の効果】
【００１１】
本発明によれば、大容量のＨＤに録画コンテンツを記録する番組録画装置等においては、録画コンテンツの数が膨大な数になるが、途中まで視聴済の録画コンテンツの続きを視聴しようとした場合、録画コンテンツリストの先頭にこれらのコンテンツが優先的に表示されるために、簡易に希望するコンテンツが視聴可能となる。
【００１２】
また、外出や就寝などのため、一定時間しか視聴できない場合、該時間内に視聴できるコンテンツが優先的に表示されるため、コンテンツを中途半端に視聴して外出や就寝することがなくなる。
【００１３】
更に、定期的に視聴している番組がある場合、現在時刻と該番組の開始時刻からユーザが視聴可能と思われる時間が自動的に計算され、該時間内に視聴可能なコンテンツが優先的に表示されるため、録画コンテンツの視聴に集中していて、定期的に視聴している番組の開始に気付かず、見逃すことがなくなる。
【００１４】
すなわち、空き時間に録画番組を視聴する際の使い勝手を向上させることができる番組視聴録画装置を提供することが可能となる。
【発明を実施するための最良の形態】
【００１５】
以下図面を参照して、本発明の実施の形態を説明する。
図１は、本第実施形態に係る番組視聴録画装置の構成を示すブロック図である。図において、入力部１０１は、キーボード等のキー情報やその他の情報を入力する入力部である。ＣＰＵ１０２は、記憶部１０４に記憶されたプログラムに基づいて動作し、例えば、入力部１０１からの入力に応じて各部を制御するものである。チューナ１０５は、アンテナによって受信された放送信号から、所望のチャンネルに対応したテレビ信号を出力する。
【００１６】
テレビデータ処理部１０３は、チューナ１０５から出力されるテレビ信号を受け取り、そのテレビ信号から音声データ、映像データおよび字幕データ等を取得する。また、ＣＰＵ１０２から再生命令を受け取ると、音声データをスピーカに、映像データを表示部１０７に出力する。必要に応じて字幕データも表示部１０７に出力することができる。また、ＣＰＵ１０２から録画命令を受け取ると、記憶部１０４に音声データ、映像データおよび字幕データを保存する。この際、録画した番組に関する情報を録画番組情報テーブル１０４ｂに保存する。
【００１７】
次に、記憶部１０４は、例えば、ＲＯＭ（Read Only Memory）やＲＡＭ（Random Access Memory）等で構成され、パーソナルコンピュータ、携帯電話等の番組視聴録画装置１００で扱うデータやソフトウェアなどを記憶する。例えば、チューナ１０５によって出力されたテレビ信号や、テレビデータ処理部１０３がテレビ信号から音声データや映像データなどを取得する際の処理に必要なデータ、上記録画番組情報テーブル１０８などを保存する。
【００１８】
録画番組情報テーブル１０４ｂは、例えば、番組名、放送日、録画時間等を保存する。番組名とは、テレビ番組の名前であり、テレビ信号の中に含まれているテレビ番組データから取得することができる。また、ユーザによって入力された任意の名前を番組名として保存してもよい。放送時間は番組が放送された日付、曜日、開始時間である。録画時間とは、録画した番組の時間的な長さである。テレビ信号の中に含まれている時刻データを使って、録画開始の時刻から録画終了の時刻までの時間を計算して取得することができる。
【００１９】
次に、表示部１０７は、例えば、ＬＣＤ（Liquid Crystal Display）や有機ＥＬ（Electroluminescence）等で構成され、テレビデータ処理部１０３により出力される映像データや字幕データを表示する。その他、表示部１０７に、例えば、電源状態、電波強度、電池残量、サーバ接続状態もしくは未読メール等の動作状態、入力したキー情報、メール情報（宛先、送信文書等）や、動画および静止画情報、接続されたインターネット画面等の受信データの表示、また、番組視聴録画装置１００の機能を利用するために必要な画面を表示する。
【００２０】
通信部１０６は、他の情報処理装置とデータのやり取りを行う。基地局、ロケーションサーバおよびＧＰＳ（Global Positioning System）衛星と情報のやり取りを行い、番組視聴録画装置１００が携帯機器の場合、その位置座標を緯度・経度で取得する場合にも利用する。また、番組視聴録画装置１００がインターネットや他の情報処理装置などにアクセスするための通信処理等も行う。また、通信部１０６は、図１に示すように１つのみを使用する場合に限らず、例えば、ＣＤＭＡ、ＥＶ−ＤＯ、無線ＬＡＮ等の複数の通信方式を利用可能にするために複数備えても良い。この通信部１０６に通信用アンテナ１０８ａが、チューナ１０５にもアンテナ１０８ｂが接続されている。
【００２１】
視聴可能時間計算部１０９は管理手段であって、ＣＰＵ１０２に接続され、現在時刻とユーザによる視聴が予想される番組の開始時刻とを元にユーザによるコンテンツの視聴可能時間を計算するものである。また、視聴可能時間計算部１０９は、記録手段である記録部１０４に記録されたユーザによる番組の視聴履歴、録画履歴から、現在時刻とユーザによる視聴が予想される番組の開始時刻とを元にユーザによるコンテンツの視聴可能時間を計算するものである。
【００２２】
また、記録部１０４には、最後に電源がオフされた時刻を記録する電源オフ時刻記録手段１０４ａが設けられている。視聴可能時間計算部１０９は、ユーザが録画コンテンツの一覧表示を希望した時、この電源オフ時刻記録手段１０４ａに記録された電源オフ時刻と現在時刻を元にユーザによる録画コンテンツの視聴時間を計算するものである。
【００２３】
実施形態の動作
次に本発明の実施形態の動作について図２以下を用いて説明する。
図２は、本第実施形態に係る番組視聴録画装置の録画コンテンツを表示する処理のフローチャートである。
ユーザ操作により録画コンテンツの一覧表示が要求（Ｓ１）されると、過去の予約録画履歴や視聴履歴を参照してユーザが視聴を予定している番組の有無を判断する（Ｓ２）。ユーザが視聴を予定している番組がある場合（Ｓ２の有）は、該番組の放送開始時刻と現在時刻を元に、録画コンテンツの視聴可能時間１を計算する（Ｓ４）。
【００２４】
次に、記憶部１０４の電源オフ時刻記録手段１０４ａにある電源オフ時刻管理テーブルを参照して、ユーザによる番組録画装置の電源オフ時刻を予想（Ｓ５）し、当該時刻と現在時刻を元に視聴可能時間２を計算する（Ｓ６）。ここで、視聴可能時間１と視聴可能時間２を比較し（Ｓ７）、小さい方の時間をユーザによる録画コンテンツの視聴可能時間とする。
【００２５】
視聴可能時間１が視聴可能時間２以下である場合（Ｓ７の「視聴可能時間１≦視聴可能時間２」）は、視聴予定番組１をユーザの視聴可能時間と設定する（Ｓ８）。視聴可能時間１が視聴可能時間２よりも大きい場合（Ｓ７の「視聴可能時間１＞視聴可能時間２」）は、視聴予定番組２をユーザの視聴可能時間と設定する（Ｓ９）。
【００２６】
視聴可能時間が計算された後、録画コンテンツを管理するデータベースにアクセスし、各コンテンツに関する情報を取得する（Ｓ１０）。取得する情報は、視聴状態（視聴完了／視聴途中／未視聴）、視聴状態が視聴途中のコンテンツに関する、再生停止ポイントの情報、録画時間などである。すなわち取得した各コンテンツのうち、視聴を完了していないコンテンツについては、未視聴部分の時間を取得する（Ｓ１１）。
【００２７】
次いで、各コンテンツの未視聴部分の時間とユーザの視聴可能時間を比較し、ユーザの視聴可能時間内に視聴が完了するかどうかを判断する（Ｓ１２）。視聴可能時間よりも未視聴時間のほうが大きい場合（ステップ１２の「視聴可能時間＜未視聴時間」）、視聴が完了しないコンテンツについては、背景等を変更しユーザに注意を促すか、表示対象リストから削除する（Ｓ１３）。また、視聴可能時間が未視聴時間以上ある場合(ステップ１２の「視聴可能時間≧身視聴時間」)、ユーザの視聴可能時間内に視聴が完了するコンテンツについては、未視聴部分の時間が視聴可能時間に近い順にコンテンツを並べ替えて録画コンテンツリストを作成する（Ｓ１４）。
【００２８】
全コンテンツに関して、上記の処理完了したら（Ｓ１５の「全コンテンツ確認完了」）、録画コンテンツリストを元に、コンテンツ一覧表示画面を生成し、ユーザへの表示を行う（Ｓ１６）。
【００２９】
実施形態の表示状態
次に本発明の実施形態の表示部１０７上での表示状態について図３乃至図５を用いて説明する。これは本実施形態における録画コンテンツ一覧表示例である。
まず、本実施形態においては、前提として以下のコンテンツが録画されており、それぞれ以下の視聴状態となっている。録画コンテンツ一覧では、サムネイル画像、番組タイトル、録画日時、録画時間、視聴有無等の情報が表示され、コンテンツを選択して、詳細画面を表示させることも可能である。
【００３０】
各コンテンツの視聴状態を下記に示す。
（１）○○の秘密：視聴完了（未視聴部分なし）
（２）ミュージック△△：未視聴
（３）北の空から：視聴済⇒３０分、未視聴⇒３０分
（４）２０世紀名画劇場：視聴済⇒４５分、未視聴⇒７５分
（５）今日のスポーツ(12/7)：視聴完了（未視聴部分なし）
（６）今日のスポーツ(12/8)：未視聴
本実施形態においては、上記の（１）から（６）のコンテンツのうち、途中まで視聴したコンテンツ、未視聴のコンテンツ、視聴が完了したコンテンツの順番で表示される。また、途中まで視聴したコンテンツについては、未視聴部分の時間が少ない順番で表示するとともに、視聴済部分／未視聴部分のそれぞれの時間を表示している。
【００３１】
ここで、就寝や外出のために視聴可能な時間が３０分程度しかない場合、ユーザは上記コンテンツのうち、３０分で視聴が完了できる（３）北の空からを視聴すれば良いと思われる。
【００３２】
また、現在日時が１２月９日のＰＭ７：３０で、過去の予約録画の履歴や視聴の履歴から同日のＰＭ９：００からの番組をユーザが視聴する可能性が高い場合、ユーザがコンテンツ視聴できる時間は約１時間３０分程度であると判断し、上記視聴可能時間と未視聴時間が近い（４）２０世紀名画劇場（未視聴時間は１時間１５分）が（３）北の空からよりも優先して表示される。
【００３３】
また、未視聴のコンテンツについても、ユーザの視聴可能時間と録画時間が近い（２）ミュージック△△（録画時間は１時間）が、(６)今日のスポーツ(12/8)（録画時間は３０分）よりも優先して表示される。
【００３４】
上記により、ユーザはＰＭ９：００からの番組視聴に影響を与えない（４）２０世紀名画劇場、（２）ミュージック△△  等を視聴すれば良いと思われる。上記の表示例を図４に示す。
【００３５】
また、現在日時が１２月９日のＰＭ８：１０で、同日のＰＭ９：００からの番組をユーザが視聴する可能性が高い場合、ユーザがコンテンツ視聴できる時間は約５０分程度であると判断し、５０分以内で視聴完了できない（４）２０世紀名画劇場（未視聴時間は１時間１５分）、（２）ミュージック△△（未視聴時間は１時間）については、図５に示すように背景色を変更したり、アイコンによる表示などにより、ユーザに注意を促す。
【００３６】
図５では、ユーザによる番組視聴に影響を与える録画コンテンツの背景色を変更してユーザに注意を促しているが、上記のコンテンツについて、コンテンツリストに表示しない方法も考えられる。
【００３７】
ここまでは、ユーザによる番組の視聴履歴等を元に、視聴可能時間を自動的に推測し、該視聴可能時間内で視聴可能な録画コンテンツを一覧表示する例を示してきたが、図６に示すような視聴可能時間を入力するダイアログボックス等を用意して、ユーザが入力した視聴可能時間をもとに、該視聴可能時間内で視聴が完了するコンテンツを一覧表示することも可能である。
【００３８】
ユーザが視聴可能時間として１時間を入力した場合、１時間以内で視聴完了できない（４）２０世紀名画劇場（未視聴時間は１時間１５分）、（２）ミュージック△△（未視聴時間は１時間）については、図５に示すように背景色を変更したり、アイコンによる表示などにより、ユーザに注意を促す。または、該コンテンツを一覧表示しないようにしても良い。
【００３９】
また、ユーザが視聴可能時間として１時間３０分を入力した場合、図４に示すように視聴可能時間と未視聴時間が近い（４）２０世紀名画劇場（未視聴時間は１時間１５分）が、（３）北の空からよりも優先して表示される。また、未視聴のコンテンツについても、視聴可能時間と録画時間が近い（２）ミュージック△△（録画時間は１時間）が（６）今日のスポーツ(12/8)（録画時間は３０分）よりも優先して表示される。
【００４０】
本実施形態における番組視聴録画装置で、日々ユーザによる電源オフの時刻を監視し、図７に示す電源オフ時刻管理テーブルに記録した場合、該情報を利用した録画コンテンツの一覧表示機能について説明する。
【００４１】
現在日時が１２月９日（土）ＰＭ１１：００であった場合、電源オフ時刻管理テーブルを参照し、同一曜日である１２月２日(土)の電源オフ時刻を参照する。１２月２日（土）の電源オフ時刻はＰＭ２３：５５であるため、ユーザが録画コンテンツを視聴する時間は約５５分であると想定する。
【００４２】
ここでは、１週間前のデータのみを使用しているが、例えば過去１ヶ月間の同一曜日である土曜日の電源オフ時刻を平均して、ユーザによる電源オフ時刻を予想しても良い。
【００４３】
ユーザの視聴時間が約５５分であるため、視聴を完了していない録画コンテンツの内、５５分で視聴が完了するものを抽出し、ユーザに提示することになる。具体的には、（３）北の空から（未視聴時間は３０分）と（６）今日のスポーツ(12/8)（未視聴時間は３０分）が上記の条件を満たす録画コンテンツとなる。
【００４４】
以上詳述したように本発明によれば、大容量のＨＤに録画コンテンツを記録する番組の視聴録画装置等において、録画コンテンツリストの先頭に上述の視聴可能なコンテンツが優先的に表示されるために、簡易に希望するコンテンツが視聴可能となる。
【００４５】
また、外出や就寝などのため、一定時間しか視聴できない場合、該時間内に視聴できるコンテンツが優先的に表示されるため、コンテンツを中途半端に視聴して外出や就寝することがなくなる。
【００４６】
更に、定期的に視聴している番組がある場合、現在時刻と該番組の開始時刻からユーザが視聴可能と思われる時間が自動的に計算され、該時間内に視聴可能なコンテンツが優先的に表示されるため、録画コンテンツの視聴に集中していて、定期的に視聴している番組の開始に気付かず、見逃すことがなくなる。
【００４７】
すなわち、空き時間に録画番組を視聴する際の使い勝手を向上させることができる番組視聴録画装置を提供することが可能となる。
【図面の簡単な説明】
【００４８】
【図１】本発明の実施形態に関する番組視聴録画装置の構成を示すブロック図である。
【図２】本発明の実施形態に関する番組視聴録画装置の録画コンテンツを表示する処理のフローチャート。
【図３】本発明の実施形態における表示部での第１の表示例。
【図４】本発明の実施形態における表示部での第２の表示例。
【図５】本発明の実施形態における表示部での第３の表示例。
【図６】本発明の実施形態における視聴可能時間を入力するためのダイアログボックスの表示例。
【図７】本発明の実施形態における電源オフ時刻管理テーブルの例。
【符号の説明】
【００４９】
１００…番組視聴録画装置
１０１…入力部
１０２…ＣＰＵ
１０３…テレビデータ処理部
１０４…記憶部
１０４ａ…電源オフ時刻記録部
１０４ｂ…記録番組情報テーブル
１０５…チューナ
１０６…通信部
１０７…表示部
１０８ａ…アンテナ
１０８ｂ…アンテナ
１０９…視聴可能時間計算部
【図１】
2008252817.tif 000003
【図２】
2008252817.tif 000004
【図３】
2008252817.tif 000005
【図４】
2008252817.tif 000006
【図５】
2008252817.tif 000007
【図６】
2008252817.tif 000008
【図７】
2008252817.tif 000009